(57)【要約】      （修正有）【課題】インターネット上で配信される動画やニュース、ラジオ、ゲームの配信情報を取得できると共に、同時に楽しむことができるインターネットクライアント装置を提供する。【解決手段】クライアント端末に所定のサーバーからインターネットにあるゲーム及びラジオ放送、動画、ニュースサイトのいずれかを配信する複数のサイトのアドレスが記載されているインターネットリソースアドレスリストを取得させてインターネットクライアント装置とする。さらに、サーバーアクセスデータが記録されている記録手段と、前記クライアント端末及び前記記録手段に接続されており、前記サーバーアクセスデータを前記クライアント端末に転送することによって、前記クライアント端末に前記所定のサーバーにログインして前記インターネットリソースアドレスリストを取得させる接続転送手段とを設けて該インターネットクライアント装置を構成する。【選択図】図３
0003159954.tif 000002
【実用新案登録請求の範囲】
【請求項１】
サーバーアクセスデータが記録されている記録手段と、
クライアント端末と接続してデータを転送することができる接続転送手段とを備えている上、
前記接続転送手段が前記クライアント端末に接続し、且つ、前記クライアント端末がインターネットサービスプロバイダに接続すると、前記クライアント端末及び前記インターネットサービスプロバイダを介し、インターネットにあるゲーム及びラジオ放送、動画、ニュースのいずれかを配信する複数のサイトのアドレスが記載されているインターネットリソースアドレスリストを提供するサーバーに、前記記録手段に記録されている前記サーバーアクセスデータを転送してログインし、前記サーバーから前記インターネットリソースアドレスリストを取得することができるように構成されているインターネットクライアント装置。
【請求項２】
前記記録手段に更にメディア同時再生インターフェイスが記録されており、前記サーバーから前記インターネットリソースアドレスリストを取得した後、前記記録手段に記録されている前記メディア同時再生インターフェイスを用いて、使用者により選択された前記インターネットリソースアドレスリストにおけるゲームを配信するサイトのいずれかと、使用者により選択されたラジオ放送、動画、ニュースを配信するサイトのいずれかとに、前記インターネットサービスプロバイダを介して同時にアクセスして該当サイトの配信を受信して実行することができるように構成されている請求項１に記載のインターネットクライアント装置。
【請求項３】
インターネットにあるゲーム及びラジオ放送、動画、ニュースのいずれかを配信する複数のサイトのアドレスが記載されているインターネットリソースアドレスリストを提供すると共に、所定の時間を置いて前記インターネットリソースアドレスリストを更新するサーバーと、
請求項２に記載されているインターネットクライアント装置とを備えているインターネットメディアプレイヤーシステム。
【考案の詳細な説明】
【技術分野】
【０００１】
本考案はインターネットクライアント装置と、該インターネットクライアント装置を備えたインターネットメディアプレイヤーシステムに関する。
【背景技術】
【０００２】
現在、インターネットの技術発展及び普及により、従来、紙や電波を利用していたニュースやラジオ放送、テレビ放送は、インターネットによる配信媒介が主流になりつつある。また、カードなどを利用するテーブルゲームや、コンピュータなどを利用するビデオゲームもインターネットに取り入れられているため、より多くの人々に親しまれるようになっている。
【０００３】
特許文献１では、サーバーユニットとクライアントユニットとツールユニットとを備え、サーバーユニットにインターネットラジオサイトリストが登録されているインターネットラジオサイトデータベースが記録されており、使用者がツールユニットをクライアントユニットの転送ポートに設置すると、ツールユニットに記録されているインターネットラジオ再生プログラムが自動的に実行され、該インターネットラジオ再生プログラムはインターネットを介してサーバーユニットのインターネットラジオサイトデータベースにアクセスしてインターネットラジオサイトリストを取得し、クライアントユニットからインターネットラジオサイトリストにリストアップされている各サイトにアクセスしてインターネットラジオを受信することができるインターラジオ受信システムが開示された。
【０００４】
しかし、このようなサイトリストを提供するサービスはラジオに限定されており、今では既に広く利用されている動画配信サイトや、ニュース配信サイト、あるいはゲームを配信するサイトに応用することは実現できておらず、インターネットの使用者が新しい配信情報を得るには、自分でサーチエンジンを利用するか、あるいは広告や知人の紹介に頼るしかない。
更に、これらインターネット上に配信される動画やニュース、ゲームに関する情報を閲覧するには、インターネットブラウザーを利用するが、インターネットによるラジオ放送やテレビ放送を再生するにはインターネットブラウザー以外にメディアプレイヤーを起動する必要があり、またインターネット上のゲームを使用するにはブラウザーまたはゲーム特有のアプリケーションプログラムを起動しなければならない。
【先行技術文献】
【特許文献】
【０００５】
【特許文献１】台湾特許出願公開第２００９２４４２０号明細書
【考案の概要】
【考案が解決しようとする課題】
【０００６】
上記問題点に鑑みて、本考案は、インターネット上のサーバーから動画やニュース、ラジオ、ゲームをダウンロードできるサイトがリストアップされるデータベースにアクセスして、最新の配信情報を取得できると共に、１つのアプリケーションプログラムのみを起動してインターネットで配信されるゲーム及び動画やニュース、ラジオ放送などの少なくとも１つを同時に楽しむことができるインターネットクライアント装置と、該インターネットクライアント装置を備えたインターネットメディアプレイヤーシステムの提供を目的とする。
【課題を解決するための手段】
【０００７】
上記目的を達成すべく、本考案は、サーバーアクセスデータが記録されている記録手段と、クライアント端末と接続してデータを転送することができる接続転送手段とを備えている上、前記接続転送手段が前記クライアント端末に接続し、且つ、前記クライアント端末がインターネットサービスプロバイダに接続すると、前記クライアント端末及び前記インターネットサービスプロバイダを介し、インターネットにあるゲーム及びラジオ放送、動画、ニュースのいずれかを配信する複数のサイトのアドレスが記載されているインターネットリソースアドレスリストを提供するサーバーに、前記記録手段に記録されている前記サーバーアクセスデータを転送してログインし、前記サーバーから前記インターネットリソースアドレスリストを取得することができるように構成されているインターネットクライアント装置を提供する。
【０００８】
上記インターネットクライアント装置において、前記記録手段に更にメディア同時再生インターフェイスが記録されており、前記サーバーから前記インターネットリソースアドレスリストを取得した後、前記記録手段に記録されている前記メディア同時再生インターフェイスを用いて、使用者により選択された前記インターネットリソースアドレスリストにおけるゲームを配信するサイトのいずれかと、使用者により選択されたラジオ放送、動画、ニュースを配信するサイトのいずれかを、前記インターネットサービスプロバイダを介して同時にアクセスして該当サイトの配信を再生することができるように構成されていることが好ましい。
【０００９】
更に、本考案は、インターネットにあるゲーム及びラジオ放送、動画、ニュースのいずれかを配信する複数のサイトのアドレスが記載されているインターネットリソースアドレスリストを提供すると共に、所定の時間を置いて前記インターネットリソースアドレスリストを更新するサーバーと、上記インターネットクライアント装置とを備えているインターネットメディアプレイヤーシステムをも提供する。
【考案の効果】
【００１０】
上記構成により、本考案のインターネットクライアント装置と、該インターネットクライアント装置を備えたインターネットメディアプレイヤーシステムは、インターネット上のサーバーから動画やニュース、ラジオ放送、ゲームをダウンロードできるサイトがリストアップされるデータベースにアクセスして最新の配信情報を取得できると共に、１つのアプリケーションプログラムのみを起動してインターネットで配信されるゲーム及び動画やニュース、ラジオ放送などの少なくとも１つを同時に楽しむ体験を提供することができる。
【図面の簡単な説明】
【００１１】
【図１】本考案のインターネットメディアプレイヤーシステムのコンセプトが示されている説明図である。
【図２】本考案のインターネットメディアプレイヤーシステムの１つの応用例である。
【図３】本考案のインターネットメディアプレイヤーシステムの構成が示されているブロック図である。
【図４】本考案のインターネットメディアプレイヤーシステムのもう１つの応用例である。
【図５】本考案のインターネットメディアプレイヤーシステムのもう１つの応用例である。
【図６】クライアント端末のディスプレイモジュールでパネル画面が表示されている画面例である。
【図７】クライアント端末のディスプレイモジュールでパネル画面が表示されている画面例である。
【考案を実施するための形態】
【００１２】
以下では図１〜図７を参照しながら、本考案の好ましい各実施形態について説明する。
図１は本考案のインターネットメディアプレイヤーシステムのコンセプトが示されている説明図であり、図２は本考案のインターネットメディアプレイヤーシステムの応用例であり、図３は本考案のインターネットメディアプレイヤーシステムの構成が示されているブロック図である。
図１に示されているように、本考案のインターネットメディアプレイヤーシステムは、クライアント端末１００がインターネットを経由してサーバー２００からインターネットにあるゲーム及びラジオ放送、動画、ニュースのいずれかを配信する複数のコンテンツ配信サイト３００のアドレスが記載されているインターネットリソースアドレスリストを取得し、且つ取得したインターネットリソースアドレスリストに記載されているコンテンツ配信サイト３００にアクセスするシステムである。
このシステムを実現するため、例えば図２に示されるように、クライアント端末１００がインターネットクライアント装置１０を利用し、インターネットを経由してサーバー２００にアクセスすることによって、サーバー２００が取得した各コンテンツ配信サイト３００の情報を入手する方法が採用されている。
【００１３】
更に詳しく説明すると、本考案におけるインターネットメディアプレイヤーシステムは、図３に示されている構成を採用し、クライアント端末１００がインターネットを経由してアクセスできるサーバー２００と、クライアント端末１００と接続できるインターネットクライアント装置１０とを備えている。
図示されるように、サーバー２００は、各コンテンツ配信サイト３００のアクセス状態を常時に監視するアクセス状態監視モジュール２１０と、各インターネットクライアント装置１０のサーバーアクセスデータが記載されているクライアントデータベース２２１及び各コンテンツ配信サイト３００のアドレスが記載されているインターネットリソースアドレスリスト２２２が記録されているデータモジュール２２０と、各インターネットクライアント装置１０からの認証処理を行うアクセス認証モジュール２３０とを備えている。
ここで、アクセス状態監視モジュール２１０は、例えば数時間、あるいは数分間などの所定の時間を置いて、インターネットリソースアドレスリスト２２２に記載されている各コンテンツ配信サイト３００にアクセステストを行ない、各コンテンツ配信サイト３００のアクセス可能状態をインターネットリソースアドレスリスト２２２に書き込んで更新する。
【００１４】
各インターネットクライアント装置１０は、それぞれクライアント端末１００と接続してデータを転送することができる接続転送手段１２と、メディア同時再生インターフェイス１５１及びサーバーアクセスデータ１５２が記録されている記録手段１５と、クライアント端末１００との接続並びにデータの転送、記録手段１５のデータ管理を制御するマイクロプロセッサー１１とを備えている。
接続転送手段１２としては、例えばユニバーサルシリアルバス（以下ＵＳＢと略する）インターフェイスや、小型Ｉ／Ｏデータ転送インターフェイスなどを採用することができる。
記録手段１５としては、フラッシュメモリを採用することができる。インターネットクライアント装置１０全体として、図２に示されるように、ＵＳＢインターフェイスとフラッシュメモリを合わせたＵＳＢメモリを採用して、クライアント端末１００のデータ転送モジュール（後述）としてのＵＳＢ転送モジュール１０７と接続することが好ましい。
【００１５】
また、記録手段１５として、フラッシュメモリを用いるメモリーカード１０５を使用し、接続転送手段１２として、図４に示されるように、外付けカードリーダー１０４を使用してもよい。該外付けカードリーダー１０４は、小型Ｉ／Ｏデータ転送インターフェイス及びＵＳＢインターフェイスを搭載しており、メモリーカードを読み取り、ＵＳＢインターフェイスを介してクライアント端末１００に転送することができる。また、図５に示されるように、接続転送手段１２として、クライアント端末１００内蔵のカードリーダー１０８を使用する形で実現することもできる。
【００１６】
また、本考案のインターネットメディアプレイヤーシステムを利用してインターネットで配信されるゲーム及び動画やニュース、ラジオ放送などの少なくとも１つを同時に楽しむには、各クライアント端末１００に、インターネットクライアント装置１０と対応して接続し、データの受け渡しを行うことができるデータ転送モジュール１０３と、インターネットサービスプロバイダ（以下、ＩＳＰと略す）に接続してインターネットにアクセスすることができるインターネットアクセスモジュール１１０と、アプリケーションの実行やデータの処理を行うプロセッサーモジュール１２０と、サウンドを出力するサウンドモジュール１３０と、画像を表示するディスプレイモジュール１４０とを備える必要がある。
【００１７】
インターネットクライアント装置１０の接続転送手段１２がクライアント端末１００のデータ転送モジュール１０３に接続すると、インターネットクライアント装置１０の記録手段１５に記録されているメディア同時再生インターフェイス１５１が該クライアント端末１００のプロセッサーモジュール１２０により自動的に実行される。この時、クライアント端末１００のインターネットアクセスモジュール１１０がＩＳＰと接続していれば、メディア同時再生インターフェイス１５１はサーバーアクセスデータ１５２をサーバー２００のアクセス認証モジュール２３０に送信してアクセス認証を行う。アクセス認証モジュール２３０がメディア同時再生インターフェイス１５１から送信されて来たサーバーアクセスデータ１５２をクライアントデータベース２２１のデータと照らし合わせて、サーバーアクセスデータ１５２が有効であると確認すると、インターネットリソースアドレスリスト２２２を該クライアント端末１００に送信する。インターネットリソースアドレスリスト２２２を受信したクライアント端末１００側では、メディア同時再生インターフェイス１５１により、ディスプレイモジュール１４０に、インターネットリソースアドレスリスト２２２にリストアップされている各コンテンツ配信サイト３００及び最新のアクセス可能状態が表示される。
【００１８】
図６、図７ではディスプレイモジュール１４０で表示されているパネル画面が示されている。
図６、図７に示されるように、メディア同時再生インターフェイス１５１は、ディスプレイモジュール１４０でパネル画面１６０を表示し、パネル画面１６０にステータスウィンドウ１６６と、ラジオボタン１６１と、動画ボタン１６２と、ゲームボタン１６３と、ニュースボタン１６４と、メインメニュー１６７と、サブメニュー１６８と、サブウィンドウ１６５とが表示されている。
使用者がパネル画面１６０の左上側に配置されているラジオボタン１６１と、動画ボタン１６２と、ゲームボタン１６３と、ニュースボタン１６４とのいずれかを押すと、メインメニュー１６７に該ボタンに関連付けられた機能リストが表示され、表示したいずれかの機能ボタンが押されると、サブメニュー１６８に該当の機能ボタンに関連付けられたアイテムが表示される。使用者はこのメニュー・サブメニューの操作を通じて、インターネットリソースアドレスリスト２２２にリストアップされているサイトが提供するコンテンツの中から視聴したいカテゴリーあるいはプロバイダなどのコンテンツを選択してアクセスすることができる。
【００１９】
図６、図７に示されるように、選択されたコンテンツがラジオ放送である場合、ステータスウィンドウ１６６に該当のラジオコンテンツに関する情報、例えばラジオ番組名や再生時間などが表示され、そしてサウンドモジュール１３０により該当のラジオコンテンツの音声が再生される。選択されたコンテンツが動画、ニュース、またはゲームである場合、パネル画面１６０の右下側に配置されているサブウィンドウ１６５に該当の内容が表示される。例えば図６ではゲームのダウンロード状況が表示され、図７ではサブウィンドウ１６５に該当のゲームのプレイ画面が表示されている。
図７に示されるように、ラジオ番組及びゲームが同時に再生される場合、サウンドモジュール１３０はラジオ番組の音声を優先して再生するが、必要に応じてゲームのサウンドエフェクトを再生するように切り替えることも可能である。
【００２０】
このように、本考案のメディア同時再生インターフェイス１５１は、図６及び図７に示されているように、１つのアプリケーションプログラムのみ起動してインターネットで配信されるゲーム及び動画やニュース、ラジオ放送などの少なくとも１つを同時に楽しむ体験を提供することができる
【産業上の利用可能性】
【００２１】
上記構成により、本考案のインターネットクライアント装置と、該インターネットクライアント装置を備えたインターネットメディアプレイヤーシステムは、インターネット上のサーバーから動画やニュース、ラジオ放送、ゲームをダウンロードできるサイトがリストアップされるデータベースにアクセスして最新の配信情報を取得できると共に、１つのアプリケーションプログラムのみを起動してインターネットで配信されるゲーム及び動画やニュース、ラジオ放送などの少なくとも１つを同時に楽しむ体験を提供することができる。
【符号の説明】
【００２２】
１０  インターネットクライアント装置
１００，１０１  クライアント端末
１０３  データ転送モジュール
１０４  カードリーダー
１０５  メモリーカード
１０７  ＵＳＢ転送モジュール
１０８  カードリーダー
１１  マイクロプロセッサー
１１０  インターネットアクセスモジュール
１２  接続転送手段
１２０  プロセッサーモジュール
１３０  サウンドモジュール
１４０  ディスプレイモジュール
１５  記録手段
１５１  メディア同時再生インターフェイス
１５２  サーバーアクセスデータ
１６０  パネル画面
１６１  ラジオボタン
１６２  動画ボタン
１６３  ゲームボタン
１６４  ニュースボタン
１６５  サブウィンドウ
１６６  ステータスウィンドウ
１６７  メインメニュー
１６８  サブメニュー
２００  サーバー
２１０  アクセス状態監視モジュール
２２０  データモジュール
２２１  クライアントデータベース
２２２  インターネットリソースアドレスリスト
２３０  アクセス認証モジュール
３００  コンテンツ配信サイト
【図１】
0003159954.tif 000003
【図２】
0003159954.tif 000004
【図３】
0003159954.tif 000005
【図４】
0003159954.tif 000006
【図５】
0003159954.tif 000007
【図６】
0003159954.tif 000008
【図７】
0003159954.tif 000009
【手続補正書】
【提出日】平成22年3月25日(2010.3.25)
【手続補正１】
【補正対象書類名】実用新案登録請求の範囲
【補正対象項目名】全文
【補正方法】変更
【補正の内容】
【実用新案登録請求の範囲】
【請求項１】
クライアント端末に所定のサーバーからインターネットにあるゲーム及びラジオ放送、動画、ニュースサイトのいずれかを配信する複数のサイトのアドレスが記載されているインターネットリソースアドレスリストを取得させるインターネットクライアント装置であって、
サーバーアクセスデータが記録されている記録手段と、
前記クライアント端末及び前記記録手段に接続されており、前記サーバーアクセスデータを前記クライアント端末に転送することによって、前記クライアント端末に前記所定のサーバーにログインして前記インターネットリソースアドレスリストを取得させる接続転送手段と
を備えていることを特徴とするインターネットクライアント装置。
【請求項２】
前記記録手段に更にメディア再生インターフェイスが記録されており、
前記メディア再生インターフェイスは、取得した前記インターネットリソースアドレスリストを用いて、使用者により選択された前記インターネットリソースアドレスリストにおけるゲームを配信するサイトのいずれかと、使用者により選択されたラジオ放送、動画、ニュースを配信するサイトのいずれかとにアクセスして該当サイトの配信を再生することを特徴とする請求項１に記載のインターネットクライアント装置。
【請求項３】
インターネットにあるゲーム及びラジオ放送、動画、ニュースのいずれかを配信する複数のサイトのアドレスが記載されているインターネットリソースアドレスリストを提供すると共に、所定の時間を置いて前記インターネットリソースアドレスリストを更新するサーバーと、
請求項１または２に記載されているインターネットクライアント装置と
を備えていることを特徴とするインターネットメディアプレイヤーシステム。